(57)【要約】【課題】  任意の折りたたみ三脚椅子の、持ち運びの不便解消のためこれに取り付け使用できる、三脚椅子携行用ステッキ並びに、三脚椅子携行用把手を提供する。【解決手段】  前者は任意の折りたたみ三脚椅子の一脚と形状、サイズの等しい、脚棒１の上端に固定された、固定キャップ２と、その上方に設けた柄付き把手３と、２と３の間に設けた屈曲部４より構成され、両者はいずれもこれを、任意の折りたたみ三脚椅子に取り付け、三脚を折りたたんだ状態で、柄部８が中心線延長方向となっていることを特徴とし、その使用方法は前者は前記三脚椅子の任意の一脚とこれを付け替える方法により、後者は前記三脚椅子の任意の一脚上部側面に直接その取り付け部５をあてネジで固定し、共に把手を手で握りこれを地について携行する。【選択図】  図１
2005288121.tif 000002
【特許請求の範囲】
【請求項１】
固定キャップ２を固定した棒の全体が任意の折りたたみ三脚椅子の、任意の一脚と同形同サイズである脚棒１と、固定キャップ２の上方に設けた柄付き把手３と、２と３の間に設けられた屈曲部４より構成され、前記把手の柄部８は、これを任意の折りたたみ三脚椅子に取り付けた際、三脚を折りたたんだ状態で、中心線延長方向に延設されたものであることを特徴とする、三脚椅子携行用ステッキ
【請求項２】
任意の折りたたみ三脚椅子の任意の一脚上端に取り付けられる、取り付け部５と、その上方に設けた柄付き把手３と、３と５の間に設けられた屈曲部４より構成され，前記柄付き把手３の柄は、これを任意の折りたたみ三脚椅子に取り付けた際、三脚を折りたたんだ状態で中心線延長方向となっていることを特徴する、三脚椅子携行用把手
【発明の詳細な説明】
【技術分野】
【０００１】  本発明は任意の折りたたみ三脚椅子の持ち運びの不便を解消するための、これに着脱できる持ち運び用具に関するものである。
【背景技術】
【０００２】  三脚椅子を使用するまでに至る間の持ち運びは、通常直接手で持つか、ケース等にいれあるいはバンド等をつけて、これを肩に掛けて運ぶ等の方法が主流をなしているが、そのいずれによるにせよ、負担の伴う手荷物であることに変わりなく、その中で特に木製の折りたたみ三脚椅子等の大型のものは、座り心地の良い普通の椅子に近い高さにしてあるので、形も長く重さもありその持ち運びが厄介なため、折角優れた機能と高い安全性を備えながら活用される機会がまれで物置の隅に、ほこりまみれになっているのが少なくない。
なお本発明とその使用目的も形体、構造も異なるが、携帯機能の付いた三脚椅子として、椅子兼用ステッキがあるが、こうした名称をうたいながら普通の折りたたみ椅子に近いようなものは別として、これらに共通している点は両者兼用が目的であること、両者不離一体であることであり、その多くは三脚中の一脚を直線上に長く伸ばしそれに把手をつけたものであるため、バランスを欠き、使用中終始手に伝わってくる不安定、不快な感触は、そう快を求める散歩時等の使用にあたり精神衛生面に与えるマイナス影響は否定し得ないほか、両者兼用、両者一体を求める余りの、ひずみが安全性の欠如、形状の奇異、構造の複雑等になって現れ、多くの改善点を残したままになっている。
【特許文献１】  実開平６−６６３３８
【発明の開示】
発明が解決しようとする課題】
【０００３】  本発明は多くの優れた機能と，高い安全性を備えながら大型のため活用の場を狭められている，個人所有，流通段階にあるものを含めた、任意の折りたたみ三脚椅子に取り付け、その携行を容易にする用具を開発し、これが再活用を図ろうとするものである。
【課題を解決しようとする手段】
【０００４】  いまその手段を説明すると、任意の折りたたみ三脚椅子（以下三脚椅子と記述）に取り付け，取り外し可能な柄付き把手を取り付け、その把手を手で握り足元に立て，これを地につきながら携行する方法をとると、極めて楽に持ち運びできることを発見し、これによって解決を図ることにした。
【発明の効果】
【０００５】  本発明を三脚椅子に取り付けて使用すると次に記載する効果を奏する
（イ）とり付けた柄付き把手の柄が、三脚椅子を折りたたんだ状態で三本の脚の真上になるように構成されているので把手部を握った感じが，両者一体に形成されたと同様の安定感をもたらす。
（ロ）把手部を握り、これを地面につきながら持ち運ぶことができるので、長くて扱いが厄介という不便が解消される。
（ハ）椅子本体が地についている間は、重さがゼロになるので（ロ）の効果も合わせ荷物感が解消し日常の散歩にも気軽に使用できるようになる。
（ニ）やや重さがあるので、それがかえってステッキ等と異なる安定感があり歩行中や停止中の体の支えになる。
（ホ）三脚椅子として使う際、収納具から出したり外したり等の煩わしい準備の必要がなく脚をひねって開くだけで即座に座ることができる。
（ヘ）開脚して座ろうとするときも、座った後も，手が自然に把手を握ったままになっているので、椅子が倒れてけがをする等の事故がなくなり、その安全度が更に高くなる。
（ト）柄付き把手を必要としないときは三叉金具から外し、脚を付けかえれば、またネジをはずせば元の三脚椅子にもどる。
【発明を実施するための最良の形態】
【０００６】  縦長の硬質部材の下端に、固定キャップ２を設け、該部材上端に柄付き把手３を設け２と３の間の該部材を外方に曲げ、屈曲部４を形成し，固定キャップ２は三脚椅子の任意の一脚の先端部と同形、同サイズの下向き中空に形成し、これを脚棒１の先端部にはめ固定し固定キャップ２を含めた脚棒１全体を三脚椅子の任意の一脚と同形、同サイズ、に形成する。屈曲部４の上部の曲がり６は三脚椅子に取り付けた際において柄部８が、折りたたんだ三脚椅子の中心線延長方向になるように曲げ、下部の曲がり９は，固定キャップ２の側面と該部材の間に，三脚座布１１の着脱ができる透き間１０を形成するように曲げる。
以上の構造であるから、これを使用するときは三脚椅子の任意の一脚を三叉金具１２から取り外し、代わりに脚棒１を三叉金具１２に装置し、把手を手で握りこれを地につきながら携行する。【０００７】  縦長の硬質部材の下端に取り付け部５を設け、該部材上端に柄付き把手３を設け２と３の間の該部材を外方に曲げ、屈曲部４を形成する。屈曲部４の上部の曲がり６は、これを三脚椅子に取り付けた際において、柄部８が折りたたんだ三脚椅子の中心線延長方向になるように曲げ、下部の曲がり９は三脚椅子の任意の一脚上部側面と屈曲部４の間に三脚座布１１の着脱が可能な透き間を形成するように曲げる。
以上の構造であるから、これを使用するときは三脚椅子の任意の一脚上部脚側面に取り付け部５をあて，ネジ７で固定し，把手を手で握り、これを地につきながら携行する。【０００８】  本発明の実施にあたって次の如きことができる。
柄付き把手の柄部の下方に、縦長の溝を切った柄受けを設け、これに本体から切り離した柄付き把手の柄部を、柄受けの低部までさし入れ、溝の下端から柄部に蝶ねじを、ら入する。これを使用するときは、蝶ネジをゆるめ、把手を上下に動かし必要な位置で蝶ネジを締め固定、調節する。
【図面の簡単な説明】
【０００９】
【図１】  本発明の一部を断面で示した正面図である。
【図２】  本発明を三脚椅子に取り付けた正面図である。
【図３】  請求項２項の発明の斜視図である。
【図４】  請求項２項の発明を三脚椅子に取り付けた正面図である。
【符号の説明】
【００１０】    １  脚棒
２  固定キャップ
３  柄付き把手
４  屈曲部
５  取り付け部
６  上部の曲り
７  ネジ
８  柄部
９  下部の曲り
１０  透き間
１１  三脚座布
１２  三叉金具
１３  三叉金具の穴
【図１】
2005288121.tif 000003
【図２】
2005288121.tif 000004
【図３】
2005288121.tif 000005
【図４】
2005288121.tif 000006